(57)【要約】【課題】  発光輝度比が各々設定された複数のサブフィールドによって１フィールドを形成して階調表現を行うに際して必要なメモリ容量を低減可能なサブフィールドコーディング装置、その方法及びプラズマ表示装置を提供する。【解決手段】  入力信号によって指定される入力輝度での階調表現を、発光輝度比が各々設定されたＮ個（Ｎは２以上の整数）のサブフィールドによって１フィールドを形成して行うに際し、各サブフィールドの点灯／非点灯を決定するサブフィールドコーディング装置である。プラズマ表示装置１００は、このサブフィールドコーディング装置を備える。サブフィールドコーディング装置は、１フィールドの輝度が入力輝度となるような演算を、各サブフィールドの発光輝度比の情報を用いて行うことにより、各サブフィールドの点灯／非点灯を決定する点灯／非点灯決定手段（例えば、演算装置３０）を備える。【選択図】    図１
2005031467.tif 000002
【特許請求の範囲】
【請求項１】
入力信号に応じて映像を表示するに際し、該入力信号によって指定される入力輝度での階調表現を、発光輝度比が各々設定されたＮ個（Ｎは２以上の整数）のサブフィールドによって１フィールドを形成して行うために、各サブフィールドの点灯／非点灯を決定するサブフィールドコーディング装置において、
１フィールドの輝度が前記入力輝度となるような演算を、各サブフィールドの発光輝度比の情報を用いて行うことにより、各サブフィールドの点灯／非点灯を決定する点灯／非点灯決定手段を備えることを特徴とするサブフィールドコーディング装置。
【請求項２】
前記点灯／非点灯決定手段は、
発光輝度比の小さいサブフィールドから優先的に点灯することとなるように前記演算を行うことを特徴とする請求項１に記載のサブフィールドコーディング装置。
【請求項３】
前記点灯／非点灯決定手段は、
各サブフィールドの点灯／非点灯の決定を、発光輝度比の大きいサブフィールドから順に行うとともに、
先ず、各サブフィールドを発光輝度比に関して昇順に並び替えた場合の順番がＮ番目となる発光輝度比が最大のサブフィールドの点灯／非点灯を決定するに際しては、前記昇順における順番が（Ｎ−１）番目までのサブフィールドの発光輝度比の総和と、前記入力輝度と、の比較を行い、該入力輝度の方が大きければ点灯を決定する一方で、大きくはなければ非点灯を決定し、
以下、順次、前記昇順における順番がｎ番目（ｎはＮ未満の正の整数）となるサブフィールドの点灯／非点灯を決定するに際しては、前記昇順における順番が（ｎ−１）番目までのサブフィールドの発光輝度比の総和と、既に点灯が決定しているサブフィールドの発光輝度比の総和を前記入力輝度から差し引いて得られる値と、の比較を行い、該差し引いて得られる値の方が大きければ点灯を決定する一方で、大きくはなければ非点灯を決定することを特徴とする請求項２に記載のサブフィールドコーディング装置。
【請求項４】
前記点灯／非点灯決定手段は、各サブフィールドの点灯／非点灯の決定のためにそれぞれ行われる前記比較において用いられる発光輝度比の総和を、各々演算により求めることを特徴とする請求項３に記載のサブフィールドコーディング装置。
【請求項５】
当該サブフィールドコーディング装置は、各サブフィールドの点灯／非点灯の決定のためにそれぞれ行われる前記比較において用いられる発光輝度比の総和の各々を記憶した発光輝度比総和記憶テーブルを更に備え、
前記点灯／非点灯決定手段は、前記発光輝度比総和記憶テーブルを参照して前記比較を行うことを特徴とする請求項３に記載のサブフィールドコーディング装置。
【請求項６】
入力信号に応じて映像を表示するに際し、該入力信号によって指定される入力輝度での階調表現を、発光輝度比が各々設定されたＮ個（Ｎは２以上の整数）のサブフィールドによって１フィールドを形成して行うために、各サブフィールドの点灯／非点灯を決定するサブフィールドコーディング方法において、
１フィールドの輝度が前記入力輝度となるような演算を、各サブフィールドの発光輝度比の情報を用いて行うことにより、各サブフィールドの点灯／非点灯を決定することを特徴とするサブフィールドコーディング方法。
【請求項７】
発光輝度比の小さいサブフィールドから優先的に点灯することとなるように前記演算を行うことを特徴とする請求項６に記載のサブフィールドコーディング方法。
【請求項８】
各サブフィールドの点灯／非点灯の決定を、発光輝度比の大きいサブフィールドから順に行うとともに、
先ず、各サブフィールドを発光輝度比に関して昇順に並び替えた場合の順番がＮ番目となる発光輝度比が最大のサブフィールドの点灯／非点灯を決定するに際しては、前記昇順における順番が（Ｎ−１）番目までのサブフィールドの発光輝度比の総和と、前記入力輝度と、の比較を行い、該入力輝度の方が大きければ点灯を決定する一方で、大きくはなければ非点灯を決定し、
以下、順次、前記昇順における順番がｎ番目（ｎはＮ未満の正の整数）となるサブフィールドの点灯／非点灯を決定するに際しては、前記昇順における順番が（ｎ−１）番目までのサブフィールドの発光輝度比の総和と、既に点灯が決定しているサブフィールドの発光輝度比の総和を前記入力輝度から差し引いて得られる値と、の比較を行い、該差し引いて得られる値の方が大きければ点灯を決定する一方で、大きくはなければ非点灯を決定することを特徴とする請求項７に記載のサブフィールドコーディング方法。
【請求項９】
各サブフィールドの点灯／非点灯の決定のためにそれぞれ行われる前記比較において用いられる発光輝度比の総和を、各々演算により求めることを特徴とする請求項８に記載のサブフィールドコーディング方法。
【請求項１０】
各サブフィールドの点灯／非点灯の決定のためにそれぞれ行われる前記比較において用いられる発光輝度比の総和の各々を記憶した発光輝度比総和記憶テーブルを参照して前記比較を行うことを特徴とする請求項８に記載のサブフィールドコーディング方法。
【請求項１１】
請求項１乃至５のいずれか一項に記載のサブフィールドコーディング装置と、このサブフィールドコーディング装置により点灯／非点灯が決定されたＮ個のサブフィールドによって１フィールドを形成して階調表現を行うプラズマディスプレイパネルと、を備えることを特徴とするプラズマ表示装置。
【発明の詳細な説明】
【技術分野】
【０００１】
本発明は、サブフィールドコーディング装置、その方法及びプラズマ表示装置に関する。
【背景技術】
【０００２】
従来、プラズマ表示装置などの映像表示装置における多階調表示方式としては、所定ビットの入力映像信号（入力信号）に基づき、輝度の重み付けがなされた（発光輝度比が各々設定された）複数のサブフィールドによって１フィールドを形成して階調表現を行うサブフィールド表示方式が知られている。このサブフィールド表示方式では、例えば２５６階調、すなわち８ビットの映像信号を表現する場合、１フィールドを８つのサブフィールドに分割し、各サブフィールドの発光輝度比を１：２：４：８：１６：３２：６４：１２８とすることで、各サブフィールドの点灯（ＯＮ）／非点灯（ＯＦＦ）の組み合わせにより全２５６階調を表現することができる。
【０００３】
ここで、このように階調表現を行う場合の、入力信号によって指定される階調（入力輝度）に応じた各サブフィールドのＯＮ／ＯＦＦ状態を図２０に示す（一部の階調のみ）。
【０００４】
つまり、このように階調表現を行う場合、例えば階調１２７と階調１２８のように各サブフィールドの点灯／非点灯の状態がほぼ反転している階調が存在することとなり、このように各サブフィールドの点灯／非点灯の状態がほぼ反転している階調が表示画面上で空間的に隣接して入力された場合、視線の動きによっては強い動画偽輪郭妨害を生じてしまうという問題点があった。
【０００５】
こうした動画偽輪郭を低減させる従来の方法として、サブフィールド分割数（１フィールドを形成するサブフィールド数）を入力ビット数よりも多くし、階調間で各サブフィールドの点灯状態の遷移を小さくする方法が一般的に取られている。つまり、このようにサブフィールド分割数を入力ビット数よりも多くすれば、ある階調を表現するための各サブフィールドの点灯／非点灯状態の組み合わせが複数通り存在するようにできる。具体的には、例えば、入力映像信号を８ビット、サブフィールド分割数を１０とし、各サブフィールドの発光輝度比を１：２：３：４：５：６：２０：４０：８０：９４とした場合に、例えば階調４を表現する場合、発光輝度比が１及び３のサブフィールドのみを点灯状態とする組み合わせと、発光輝度比が４のサブフィールドのみを点灯状態とする組み合わせとが存在する。従って、これら複数通りの組み合わせのうち、動画偽輪郭が発生しないような組み合わせで階調表現を行うことができる。
【０００６】
従来、このように複数通りの組み合わせのうち一のサブフィールド組み合わせを選択する方法としては、それぞれの階調（入力輝度）に対応する各サブフィールドの点灯／非点灯状態の組み合わせを予め決定しておくとともに、この対応関係の情報を記憶したテーブルを用いる手法が一般的にとられていた（例えば、特許文献１参照）。
【特許文献１】特開平０７−２７１３２５号公報（図２８、２９）
【発明の開示】
【発明が解決しようとする課題】
【０００７】
しかしながら、従来のように、各階調と、サブフィールドの点灯／非点灯状態の組み合わせと、の対応を格納したテーブルを用いるには、そのテーブルを格納するためのメモリが必要となるという問題がある。
【０００８】
例えば、入力映像信号を８ビット、サブフィールド分割数を１２とした場合、そのメモリ容量はＲ（赤）、Ｇ（緑）、Ｂ（青）の画素毎に２8×２12＝１０２４ｋｂと大きく、また、幾通りもの映像モード設定を持つ場合はそれぞれの映像モード毎に上記テーブルを用意する必要があるので、映像モード数に応じてより多くのメモリ容量を要してしまう。
【０００９】
本発明は、上記のような問題点を解決するためになされたもので、発光輝度比が各々設定された複数のサブフィールドによって１フィールドを形成して階調表現を行うに際して必要なメモリ容量を低減可能なサブフィールドコーディング装置、その方法及びプラズマ表示装置を提供することを目的とする。
【課題を解決するための手段】
【００１０】
上記課題を解決するため、本発明のサブフィールドコーディング装置は、入力信号に応じて映像を表示するに際し、該入力信号によって指定される入力輝度での階調表現を、発光輝度比が各々設定されたＮ個（Ｎは２以上の整数）のサブフィールドによって１フィールドを形成して行うために、各サブフィールドの点灯／非点灯を決定するサブフィールドコーディング装置において、１フィールドの輝度が前記入力輝度となるような演算を、各サブフィールドの発光輝度比の情報を用いて行うことにより、各サブフィールドの点灯／非点灯を決定する点灯／非点灯決定手段を備えることを特徴としている。
【００１１】
また、本発明のサブフィールドコーディング方法は、入力信号に応じて映像を表示するに際し、該入力信号によって指定される入力輝度での階調表現を、発光輝度比が各々設定されたＮ個（Ｎは２以上の整数）のサブフィールドによって１フィールドを形成して行うために、各サブフィールドの点灯／非点灯を決定するサブフィールドコーディング方法において、１フィールドの輝度が前記入力輝度となるような演算を各サブフィールドの発光輝度比の情報を用いて行うことにより、各サブフィールドの点灯／非点灯を決定することを特徴としている。
【００１２】
さらに、本発明のプラズマ表示装置は、本発明のサブフィールドコーディング装置と、このサブフィールドコーディング装置により点灯／非点灯が決定されたＮ個のサブフィールドによって１フィールドを形成して階調表現を行うプラズマディスプレイパネルと、を備えることを特徴としている。
【００１３】
本発明のサブフィールドコーディング装置、サブフィールドコーディング方法及びプラズマ表示装置によれば、１フィールドの輝度が前記入力輝度となるような演算を各サブフィールドの発光輝度比の情報を用いて行うことにより各サブフィールドの点灯／非点灯を決定するので、従来技術とは異なり、各入力輝度とサブフィールドの点灯／非点灯状態の組み合わせとの対応を格納したテーブルを用いる必要が無い。従って、そのテーブルを予め作成してメモリ上に格納しておく必要がなくなり、そのテーブルを格納するためのメモリも不要となる。よって、発光輝度比が各々設定された複数のサブフィールドにより１フィールドを形成して階調表現を行うに際して必要なメモリ容量を低減可能となる。
【００１４】
なお、各サブフィールドの発光輝度比は「各発光輝度比の総和が階調数−１（例えば、入力信号が８ビットの場合は、２５６−１＝２５５）に等しくなる」という条件と、「各ＳＦに設定する発光輝度比の組み合わせによって、すべての階調を表現できる」という条件の下で任意に設定された正の整数である。たとえば入力信号が８ビット、各ＳＦの発光輝度比が１：３：４：８：１６：３２：３６：４４：５２：５９の場合は、各発光輝度比の総和は２５５で前記条件を満たしているが、たとえば階調２、６、１０などを表現することができないので、このように発光輝度比を設定することは好ましくない。
【００１５】
また、本発明においては、発光輝度比の小さいサブフィールドから優先的に点灯することとなるように前記演算を行うことが好ましい。
【００１６】
また、本発明においては、各サブフィールドの点灯／非点灯の決定を、発光輝度比の大きいサブフィールドから順に行うとともに、先ず、各サブフィールドを発光輝度比に関して昇順に並び替えた場合の順番がＮ番目となる発光輝度比が最大のサブフィールドの点灯／非点灯を決定するに際しては、前記昇順における順番が（Ｎ−１）番目までのサブフィールドの発光輝度比の総和と、前記入力輝度と、の比較を行い、該入力輝度の方が大きければ点灯を決定する一方で、大きくはなければ非点灯を決定し、以下、順次、前記昇順における順番がｎ番目（ｎはＮ未満の正の整数）となるサブフィールドの点灯／非点灯を決定するに際しては、前記昇順における順番が（ｎ−１）番目までのサブフィールドの発光輝度比の総和と、既に点灯が決定しているサブフィールドの発光輝度比の総和を前記入力輝度から差し引いて得られる値と、の比較を行い、該差し引いて得られる値の方が大きければ点灯を決定する一方で、大きくはなければ非点灯を決定することが好ましい。
【００１７】
本発明によれば、１フィールドを形成するサブフィールド数（サブフィールド分割数）を入力信号のビット数（入力ビット数）よりも大きな値とする場合にも各サブフィールドの点灯／非点灯を一義的に決定することができるとともに、発光輝度比の小さいサブフィールドから優先的に点灯するようにできる。
【００１８】
本発明においては、各サブフィールドの点灯／非点灯の決定のためにそれぞれ行われる前記比較において用いられる発光輝度比の総和を、各々演算により求めることを好ましい例とする。
【００１９】
或いは、本発明においては、各サブフィールドの点灯／非点灯の決定のためにそれぞれ行われる前記比較において用いられる発光輝度比の総和の各々を記憶した発光輝度比総和記憶テーブルを参照して前記比較を行うことも好ましい。
【発明の効果】
【００２０】
本発明によれば、１フィールドの輝度が前記入力輝度となるような演算を各サブフィールドの発光輝度比の情報を用いて行うことにより各サブフィールドの点灯／非点灯を決定するので、従来技術とは異なり、各入力輝度とサブフィールドの点灯／非点灯状態の組み合わせとの対応を格納したテーブルを用いる必要が無い。よって、発光輝度比が各々設定された複数のサブフィールドにより１フィールドを形成して階調表現を行うに際して必要なメモリ容量を低減可能となる。
【発明を実施するための最良の形態】
【００２１】
以下、図面を参照して、本発明に係る実施形態について説明する。本実施形態では、本発明に係るサブフィールドコーディング装置、サブフィールドコーディング方法及びプラズマ表示装置の適例について説明する。
【００２２】
〔第１の実施形態〕
図１に示すように、第１の実施形態に係るプラズマ表示装置１００は、所定ビットの入力信号に応じて映像を表示するに際し、この入力信号によって指定される入力輝度での階調表現を、発光輝度比が各々設定されたＮ個（Ｎは２以上の整数）のサブフィールドによって１フィールドを形成して行うものであり、映像信号（入力信号）の入力を受け付ける入力装置１０と、この入力装置１０より出力される映像信号に基づき各サブフィールドの点灯／非点灯を演算により決定する演算装置３０と、この演算装置３０による演算に用いられるデータを記憶した記憶装置２０と、演算装置３０により点灯／非点灯が決定されたＮ個のサブフィールドによって１フィールドを形成して階調表現を行う表示部としての出力装置（例えば、プラズマディスプレイパネル）４０と、を備えている。
【００２３】
なお、このうち演算装置３０及び記憶装置２０によりサブフィールドコーディング装置が構成されている。
【００２４】
また、演算装置３０は、１フィールドの輝度が入力輝度となるような演算を、各サブフィールドの発光輝度比の情報を用いて行うことにより、各サブフィールドの点灯／非点灯を決定する。つまり、演算装置３０は、点灯／非点灯決定手段を構成している。
【００２５】
ここで、演算装置３０は、発光輝度比の小さいサブフィールドから優先的に点灯することとなるように演算を行う。
【００２６】
なお、本実施形態では、入力信号を８ビット、１フィールドのサブフィールド分割数を１０、各サブフィールドの発光輝度比を小さいほうから順に１、２、４、８、１６、３２、３６、４４、５２、６０とし、しかも、各サブフィールドの点灯順序が、各サブフィールドを発光輝度比に関して昇順（発光輝度比の小さいものから大きいものへと進む順番）に並び替えた場合の順番と等しい場合について説明する。
【００２７】
さらに、演算装置３０は、具体的には、各サブフィールドの点灯／非点灯の決定を、１フィールドを形成するサブフィールドのうち発光輝度比の大きいサブフィールドから順に行う。
【００２８】
すなわち、演算装置３０は、先ず、各サブフィールドを発光輝度比に関して昇順に並び替えた場合の順番（以下、単に、「昇順における順番」という）がＮ番目（本実施形態の場合、１０番目）となり、従って、発光輝度比が最大であるサブフィールドの点灯／非点灯を決定するに際しては、昇順における順番が１番目から（Ｎ−１）番目（本実施形態の場合、９番目）までのサブフィールドの発光輝度比の総和（本実施形態の場合、例えば、１９５）と入力輝度との比較を行い、入力輝度の方が大きければ点灯を決定する一方で、大きくはなければ非点灯を決定する。なぜなら、ここでの比較の結果、入力輝度の方が大きい場合は、昇順における順番が１０番目で発光輝度比が最大のサブフィールドを点灯させなければ、この入力輝度を表現することができないし、入力輝度の方が大きくはないのであれば、この入力輝度は、昇順における順番が１番目から９番目までのサブフィールドの点灯／非点灯の組み合わせで表現できるからである。
【００２９】
また、演算装置３０は、以下、順次、昇順における順番がｎ番目（ｎはＮ未満の正の整数）となるサブフィールドの点灯／非点灯を決定するに際しては、昇順における順番が（ｎ−１）番目までのサブフィールドの発光輝度比の総和と、既に点灯が決定しているサブフィールドの発光輝度比の総和を入力輝度から差し引いて得られる値と、の比較を行い、該差し引いて得られる値の方が大きければ点灯を決定する一方で、大きくはなければ非点灯を決定する。
【００３０】
このような処理を行う結果として、各サブフィールドの点灯／非点灯を一義的に決定することができるとともに、発光輝度比の小さいサブフィールドから優先的に点灯するようにできる。
【００３１】
また、このような処理を好適に実行するために、記憶装置２０は、各サブフィールドの発光輝度比（重み付け情報）が記されたテーブルＴ１（図２）を記憶したサブフィールド発光輝度記憶器２１と、各サブフィールドの点灯／非点灯の決定のための比較に用いられる発光輝度比の総和（以下、発光輝度和）が記されたテーブル（発光輝度比総和記憶テーブル）Ｔ２（図３）を記憶したサブフィールド発光輝度和記憶器２２と、を備えている。
【００３２】
図２に示すように、テーブルＴ１においては、各サブフィールドの発光輝度比（重み）がＷ１〜Ｗ１０で表されている。すなわち、具体的には、例えば、点灯順序が１番目のサブフィールドＳＦ１の発光輝度比であるＷ１の値は１、点灯順序が２番目のサブフィールドＳＦ２の発光輝度比であるＷ２の値は２、点灯順序が３番目のサブフィールドＳＦ３の発光輝度比であるＷ３の値は４、点灯順序が４番目のサブフィールドＳＦ４の発光輝度比であるＷ４の値は８、点灯順序が５番目のサブフィールドＳＦ５の発光輝度比であるＷ５の値は１６、点灯順序が６番目のサブフィールドＳＦ６の発光輝度比であるＷ６の値は３２、点灯順序が７番目のサブフィールドＳＦ７の発光輝度比であるＷ７の値は３６、点灯順序が８番目のサブフィールドＳＦ８の発光輝度比であるＷ８の値は４４、点灯順序が９番目のサブフィールドＳＦ９の発光輝度比であるＷ９の値は５２、点灯順序が１０番目のサブフィールドＳＦ１０の発光輝度比であるＷ１０の値は６０となっている。
【００３３】
また、図３に示すように、テーブルＴ２においては、各発光輝度和がＷＳ１〜ＷＳ１０で表されている。すなわち、昇順における順番が最後（本実施形態の場合、１０番目）であり、従って、発光輝度比が最大のサブフィールドＳＦ１０の点灯／非点灯決定のための比較に用いられる発光輝度和であるＷＳ１０は、昇順における順番が１番目から９番目までの各サブフィールドＳＦ１〜ＳＦ９の発光輝度比の総和である１９５となっている。また、昇順における順番が最後から２番目（本実施形態の場合、９番目）のサブフィールドＳＦ９の点灯／非点灯決定のための比較に用いられる発光輝度和であるＷＳ９は、昇順における順番が１番目から８番目までの各サブフィールドの発光輝度比の総和である１４３となっている。以下、順に、昇順における順番が最後から３番目のサブフィールドＳＦ８の点灯／非点灯決定のための比較に用いられる発光輝度和であるＷＳ８は９９、昇順における順番が最後から４番目のサブフィールドＳＦ７の点灯／非点灯決定のための比較に用いられる発光輝度和であるＷＳ７は６３、昇順における順番が最後から５番目のサブフィールドＳＦ６の点灯／非点灯決定のための比較に用いられる発光輝度和であるＷＳ６は３１、昇順における順番が最後から６番目のサブフィールドＳＦ５の点灯／非点灯決定のための比較に用いられる発光輝度和であるＷＳ５は１５、昇順における順番が最後から７番目のサブフィールドＳＦ４の点灯／非点灯決定のための比較に用いられる発光輝度和であるＷＳ４は７、昇順における順番が最後から８番目のサブフィールドＳＦ３の点灯／非点灯決定のための比較に用いられる発光輝度和であるＷＳ３は３、昇順における順番が最後から９番目のサブフィールドＳＦ２の点灯／非点灯決定のための比較に用いられる発光輝度和であるＷＳ２は１となっている。なお、昇順における順番が１番目のサブフィールドＳＦ１の点灯／非点灯の決定のための比較に用いられる発光輝度和であるＷＳ１は、便宜的に０としている（昇順における順番が０番目のサブフィールドというのは存在しないため）。
【００３４】
そして、演算装置３０は、記憶装置２０に記憶されたテーブルＴ１、Ｔ２を参照しながら、それぞれのサブフィールドのＯＮ／ＯＦＦ（点灯／非点灯）を決定するための処理を行う。
【００３５】
このように各サブフィールドの点灯／非点灯を決定する処理を実行するために、演算装置３０は、図４に示すように、サブフィールド分割数と同数の処理ブロック３０１、３０２、３０３、３０４、３０５、３０６、３０７、３０８、３０９、３１０を備えている。このうち、処理ブロック３０１は昇順における順番が最後であるサブフィールドＳＦ１０の点灯／非点灯を、処理ブロック３０２は昇順における順番が最後から２番目であるサブフィールドＳＦ９の点灯／非点灯を、処理ブロック３０３は昇順における順番が最後から３番目であるサブフィールドＳＦ８の点灯／非点灯を、処理ブロック３０４は昇順における順番が最後から４番目であるサブフィールドＳＦ７の点灯／非点灯を、処理ブロック３０５は昇順における順番が最後から５番目であるサブフィールドＳＦ６の点灯／非点灯を、処理ブロック３０６は昇順における順番が最後から６番目であるサブフィールドＳＦ５の点灯／非点灯を、処理ブロック３０７は昇順における順番が最後から７番目であるサブフィールドＳＦ４の点灯／非点灯を、処理ブロック３０８は昇順における順番が最後から８番目であるサブフィールドＳＦ３の点灯／非点灯を、処理ブロック３０９は昇順における順番が最後から９番目であるサブフィールドＳＦ２の点灯／非点灯を、処理ブロック３１０は昇順における順番が１番目であるサブフィールドＳＦ１の点灯／非点灯を、それぞれ決定するものである。
【００３６】
また、各処理ブロック３０１〜３１０による処理は、処理ブロック３０１→処理ブロック３０２→処理ブロック３０３→処理ブロック３０４→処理ブロック３０４→処理ブロック３０５→処理ブロック３０６→処理ブロック３０７→処理ブロック３０８→処理ブロック３０９→処理ブロック３１０の順に進行するようになっていて、これら処理ブロック３０１〜３１０は、信号処理順に、順次接続されている。これにより、演算装置３０は、各サブフィールドの点灯／非点灯の決定を、１フィールドを形成するサブフィールドのうち発光輝度比の大きいサブフィールドから順に行うことができるようになっている。
【００３７】
なお、本実施形態の場合、例えば、サブフィールドＳＦ１０〜ＳＦ２までの点灯／非点灯を決定する処理ブロック３０１〜３０９は、例えば、図５に示すように、それぞれ比較器３１、減算器３２及びセレクタ３３を備えて構成されている。また、サブフィールドＳＦ１の点灯／非点灯を決定する最終段の処理ブロック３１０は、比較器３１は備えるが減算器３２及びセレクタ３３は備える必要がない。
【００３８】
これら処理ブロック３１０〜３１０のうち、最初にサブフィールドＳＦ１０の点灯／非点灯を決定する処理ブロック３０１の比較器３１は、サブフィールド発光輝度和記憶器２２に格納されている発光輝度和ＷＳ１０と、入力輝度との比較を行う。そして、入力輝度の方が大きければサブフィールドＳＦ１０の点灯を決定してＯＮ信号を処理ブロック３０１のセレクタ３３と出力装置４０とに出力する一方で、入力輝度の方が大きくはなければ、サブフィールドＳＦ１０の非点灯を決定してＯＦＦ信号を処理ブロック３０１のセレクタ３３と出力装置４０とに出力する。また、処理ブロック３０１の減算器３２は、サブフィールド発光輝度記憶器２１に格納されているサブフィールドＳＦ１０の発光輝度比Ｗ１０を入力輝度より減算する（差し引く）ことにより得られる値を処理ブロック３０１のセレクタ３３に出力する。さらに、処理ブロック３０１のセレクタ３３は、比較器３１よりＯＮ信号が入力された場合には減算器３２より入力された値を次段の処理ブロックである処理ブロック３０２に出力する一方で、比較器３１よりＯＦＦ信号が入力された場合には入力輝度を処理ブロック３０２に出力する。
【００３９】
また、次段の処理ブロック３０２の比較器３１は、発光輝度和ＷＳ９と、前段の処理ブロック３０１のセレクタ３３より入力された値との比較を行う。そして、この値の方が大きければサブフィールドＳＦ９の点灯を決定してＯＮ信号を処理ブロック３０２のセレクタ３３と出力装置４０とに出力する一方で、この値の方が大きくはなければ、サブフィールドＳＦ９の非点灯を決定してＯＦＦ信号を処理ブロック３０２のセレクタ３３と出力装置４０とに出力する。また、処理ブロック３０２の減算器３２は、前段の処理ブロック３０１のセレクタ３３より入力された値よりサブフィールドＳＦ９の発光輝度比Ｗ９を減算することにより得られる値を処理ブロック３０２のセレクタ３３に出力する。さらに、処理ブロック３０２のセレクタ３３は、比較器３１よりＯＮ信号が入力された場合には減算器３２より入力された値を次段の処理ブロックである処理ブロック３０３に出力する一方で、比較器３１よりＯＦＦ信号が入力された場合には前段の処理ブロック３０１のセレクタ３３より入力された値を次段の処理ブロック３０３に出力する。
【００４０】
以下、同様に、各処理ブロック３０３〜３０９の比較器３１は、サブフィールド発光輝度和記憶器２２に格納されている発光輝度和ＷＳ８〜ＷＳ２と、前段の処理ブロックのセレクタ３３より入力された値と、の比較を行い、この値の方が大きければ、ＯＮ信号を同じ処理ブロック（３０３〜３０９の何れか）のセレクタ３３と出力装置４０とに出力する一方で、この値の方が大きくはなければ、サブフィールドＳＦ８〜ＳＦ２の非点灯を決定してＯＦＦ信号を同じ処理ブロックのセレクタ３３と出力装置４０とに出力する。また、各処理ブロック３０３〜３０９の減算器３２は、前段の処理ブロックのセレクタ３３より入力された値よりサブフィールドＳＦ８〜ＳＦ２の発光輝度比Ｗ８〜Ｗ２を減算することにより得られる値を同じ処理ブロックのセレクタ３３に出力する。さらに、各処理ブロック３０３のセレクタ３３は、比較器３１よりＯＮ信号が入力された場合には減算器３２より入力された値を次段の処理ブロックに出力する一方で、比較器３１よりＯＦＦ信号が入力された場合には前段の処理ブロックのセレクタ３３より入力された値を次段の処理ブロックに出力する。
【００４１】
また、最終段の処理ブロック３１０の比較器３１は、前段の処理ブロック３０９のセレクタ３３より入力された値が、１であるか０であるかを判定し、１である場合には、サブフィールドＳＦ１の点灯を決定してＯＮ信号を出力装置４０に出力する一方で、０である場合にはサブフィールドＳＦ１の非点灯を決定してＯＦＦ信号を出力装置４０に出力する。なお、処理ブロック３１０は、他の処理ブロック３０１〜３０９と同様の構成を備え、同様の処理を実行するようにしても良いが、前段の処理ブロック３０９から処理ブロック３１０に入力される値は０か１の何れか一方であるため、このように簡略化した処理で足りる。
【００４２】
このように、各処理ブロック３０１〜３１０では、サブフィールド発光輝度和記憶器２２に格納されている発光輝度和ＷＳ１０〜ＷＳ２と、既に点灯が決定しているサブフィールドの発光輝度比の総和を入力輝度から差し引いて得られる値Ｉ（この値Ｉは、入力輝度を初期値とし、サブフィールドの点灯が決定される毎に更新（減算）される値である）と、の比較を行い、値Ｉの方が大きければ対応するサブフィールドの点灯を決定する一方で、大きくはなければ対応するサブフィールドの非点灯を決定する処理を行う。また、各処理ブロック３０１〜３０９では、対応するサブフィールドの点灯を決定した場合には、対応する発光輝度Ｗ１０〜Ｗ２を値Ｉより減算する（差し引く）ことにより得られる新たな値Ｉを次段の処理ブロック３０２〜３１０に出力する。
【００４３】
また、出力装置４０は、各処理ブロック３０１〜３１０より出力されるＯＮ信号或いはＯＦＦ信号に基づいて、各サブフィールドＳＦ１０〜ＳＦ１の点灯（ＯＮ信号の場合）／非点灯（ＯＦＦ信号の場合）を制御し、階調表現を行う。
【００４４】
次に、図６を参照して、具体的な動作例を説明する。
【００４５】
なお、ここでは、入力輝度（入力階調）が７９である例について説明する。
【００４６】
先ず、入力装置１０から入力された映像信号（入力信号）は、サブフィールドＳＦ１０の点灯／非点灯を決定する処理を行う処理ブロック３０１に入力される。
【００４７】
この処理ブロック３０１の比較器３１は、発光輝度和ＷＳ１０（＝１９５）と、値Ｉ（この段階では入力輝度に等しい７９）と、を比較して、値Ｉ＞発光輝度和ＷＳ１０が成立するか否かを判定する。この例の場合、値Ｉ（＝７９）＞発光輝度和ＷＳ１０（＝１９５）は成立しないので、比較器３１はサブフィールドＳＦ１０の非点灯を決定してＯＦＦ信号を出力する。従って、処理ブロック３０１のセレクタ３３は、当初の値のままである値Ｉを出力する（ステップＳ１）。
【００４８】
よって、当初の値のままである値Ｉが次段の処理ブロック３０２（サブフィールドＳＦ９の点灯／非点灯を決定する）に入力されるが、ここでもやはり値Ｉ（＝７９）＞発光輝度和ＷＳ９（＝１４３）は成立しないので、処理ブロック３０２の比較器３１も同様にサブフィールドＳＦ９の非点灯を決定してＯＦＦ信号を出力し、処理ブロック３０２のセレクタ３３は、当初の値のままである値Ｉを出力する（ステップＳ２）。
【００４９】
同様に、当初の値のままである値Ｉ（＝７９）が次段の処理ブロック３０３（サブフィールドＳＦ８の点灯／非点灯を決定する）に入力されるが、ここでもやはり値Ｉ（＝７９）＞発光輝度和ＷＳ８（＝９９）は成立しないので、処理ブロック３０３の比較器３１はサブフィールドＳＦ８の非点灯を決定してＯＦＦ信号を出力する。従って、処理ブロック３０３のセレクタ３３は、当初の値のままである値Ｉ（＝７９）を出力する（ステップＳ３）。
【００５０】
次に、当初の値のままである値Ｉ（＝７９）が次段の処理ブロック３０４（サブフィールドＳＦ７の点灯／非点灯を決定する）に入力されるが、ここでは値Ｉ（＝７９）＞発光輝度和ＷＳ７（＝６３）が成立するので、処理ブロック３０４の比較器３１はサブフィールドＳＦ７の点灯を決定してＯＮ信号を出力する。従って、処理ブロック３０４のセレクタ３３は、処理ブロック３０４の減算器３２が値Ｉ（＝７９）より発光輝度比Ｗ７（＝３６）を差し引くことにより更新した新たな値Ｉ（＝４３）を出力する（ステップＳ４）。
【００５１】
次に、値Ｉ（＝４３）が次段の処理ブロック３０５（サブフィールドＳＦ６の点灯／非点灯を決定する）に入力されるが、値Ｉ（＝４３）＞発光輝度和ＷＳ６（＝３１）が成立するので、処理ブロック３０５の比較器３１はサブフールドＳＦ６の点灯を決定してＯＮ信号を出力する。従って、処理ブロック３０５のセレクタ３３は、処理ブロック３０５の減算器３２が値Ｉ（＝４３）より発光輝度比Ｗ６（＝３２）を差し引くことにより更新した新たな値Ｉ（＝１１）を出力する（ステップＳ５）。
【００５２】
次に、値Ｉ（＝１１）が次段の処理ブロック３０６（サブフィールドＳＦ５の点灯／非点灯を決定する）に入力されるが、値Ｉ（＝１１）＞発光輝度和ＷＳ５（＝１５）が成立しないので、処理ブロック３０６の比較器３１はサブフィールドＳＦ５の非点灯を決定してＯＦＦ信号を出力する。従って、処理ブロック３０６のセレクタ３３は、入力された値Ｉ（＝１１）を出力する（ステップＳ６）。
【００５３】
次に、値Ｉ（＝１１）が次段の処理ブロック３０７（サブフィールドＳＦ４の点灯／非点灯を決定する）に入力されるが、値Ｉ（＝１１）＞発光輝度和ＷＳ４（＝７）が成立するので、処理ブロック３０７の比較器３１はサブフールドＳＦ４の点灯を決定してＯＮ信号を出力する。従って、処理ブロック３０７のセレクタ３３は、処理ブロック３０７の減算器３２が値Ｉ（＝１１）より発光輝度比Ｗ４（＝８）を差し引くことにより更新した新たな値Ｉ（＝３）を出力する（ステップＳ７）。
【００５４】
次に、値Ｉ（＝３）が次段の処理ブロック３０８（サブフィールドＳＦ３の点灯／非点灯を決定する）に入力されるが、値Ｉ（＝３）＞発光輝度和ＷＳ３（＝３）が成立しないので、処理ブロック３０８の比較器３１はサブフィールドＳＦ３の非点灯を決定してＯＦＦ信号を出力する。従って、処理ブロック３０８のセレクタ３３は、入力された値Ｉ（＝３）を出力する（ステップＳ８）。
【００５５】
次に、値Ｉ（＝３）が次段の処理ブロック３０９（サブフィールドＳＦ２の点灯／非点灯を決定する）に入力されるが、値Ｉ（＝３）＞発光輝度和ＷＳ２（＝１）が成立するので、処理ブロック３０９の比較器３１はサブフィールドＳＦ２の非点灯を決定してＯＮ信号を出力する。従って、処理ブロック３０９のセレクタ３３は、処理ブロック３０９の減算器３２が値Ｉ（＝３）より発光輝度比Ｗ２（＝２）を差し引くことにより更新した新たな値Ｉ（＝１）を出力する（ステップＳ９）。
【００５６】
次に、値Ｉ（＝１）が次段の処理ブロック３１０（サブフィールドＳＦ１の点灯／非点灯を決定する）に入力されるが、値Ｉ＝１であるので、処理ブロック３１０の比較器３１はサブフィールドＳＦ１の点灯を決定してＯＮ信号を出力する（ステップＳ１０）。
【００５７】
これらの処理の結果、図７に一覧が示されるように、各サブフィールドＳＦ１〜ＳＦ１０の点灯／非点灯が決定される。なお、図７において「○」は点灯、「×」は非点灯である。
【００５８】
このように、演算装置３０は各サブフィールドＳＦ１〜ＳＦ１０の点灯／非点灯を一義的に決定することができるとともに、発光輝度比の小さいサブフィールドＳＦ１から優先的に点灯するようにできる。
【００５９】
次に、図８のフローチャートを参照して、以上の動作を統括的に説明する。
【００６０】
先ず、値Ｉに対しては初期値である入力輝度（例えば、７９）を代入する一方で、Ｎ（サブフィールド分割数）にも実際の値（本実施形態の場合、例えば、Ｎ＝１０）を代入する（ステップＳ１１）。
【００６１】
次に、変数ｉにサブフィールド分割数Ｎ（本実施形態の場合、例えば、Ｎ＝１０）を代入する（ステップＳ１２）。
【００６２】
続くステップＳ１３では、値Ｉ＞発光輝度和ＷＳｉが成立するか否か（例えば初回のステップＳ１３では、値Ｉ＞発光輝度和ＷＳ１０が成立するか否か）を判定する。
【００６３】
そして、成立する場合（ステップＳ１３のＹＥＳ）は、ステップＳ１４に移行し、値Ｉより発光輝度和ＷＳｉ（例えば初回のステップＳ１４では発光輝度和ＷＳ１０）を減算するとともに、サブフィールドＳＦｉ（例えば初回のステップＳ１４ではサブフィールドＳＦ１０）の点灯（ＯＮ）を決定する。
【００６４】
他方、ステップＳ１３での判定で、値Ｉ＞発光輝度和ＷＳｉが成立しない場合（ステップＳ１３のＮＯ）は、ステップＳ１５に移行する。ステップＳ１５では、値Ｉは加工せず、サブフィールドＳＦｉ（例えば初回のステップＳ１５ではサブフィールドＳＦ１０）の非点灯（ＯＦＦ）を決定する。
【００６５】
また、ステップＳ１４又はステップＳ１５に続くステップＳ１６では、ｉ＝１が成立するか否かを判定し、成立する場合（ステップＳ１６のＹＥＳ）には図８の処理を終了する一方で、成立しない場合（ステップＳ１６のＮＯ）にはステップＳ１７に移行する。
【００６６】
ステップＳ１７では、変数ｉを１だけ減算する処理を行う（この結果、例えば初回のステップＳ１７では変数ｉが１０から９に更新される）。
【００６７】
ステップＳ１７の後は、ステップＳ１３からの処理を、ステップＳ１６にてｉ＝１と判定されるまで繰り返し行う。
【００６８】
以上のような第１の実施形態によれば、１フィールドの輝度が入力輝度となるような演算を各サブフィールドＳＦ１〜ＳＦ１０の発光輝度比Ｗ１〜Ｗ１０の情報を用いて行うことにより各サブフィールドＳＦ１〜ＳＦ１０の点灯／非点灯を決定するので、従来技術とは異なり、各入力輝度とサブフィールドの点灯／非点灯状態の組み合わせとの対応を格納したテーブルを用いる必要が無い。従って、そのテーブルを予め作成してメモリ上に格納しておく必要がなくなり、そのテーブルを格納するためのメモリも不要となる。よって、発光輝度比が各々設定された複数のサブフィールドにより１フィールドを形成して階調表現を行うに際して必要なメモリ容量を低減可能となる。
【００６９】
なお、従来の方法と比較して、サブフィールドの点灯／非点灯を決定するための演算装置３０が余分に必要となるが、この演算装置３０は図４に示すような単純な回路で実現することができ、この演算装置３０の増加分に比べればメモリの削減効果の方が十分に大きい。
【００７０】
また、第１の実施形態では、より具体的には、各サブフィールドＳＦ１〜ＳＦ１０の点灯／非点灯の決定を、発光輝度比の大きいサブフィールド（例えば、サブフィールドＳＦ１０）から順に行うとともに、先ず、各サブフィールドＳＦ１〜ＳＦ１０を発光輝度比に関して昇順に並び替えた場合の順番がＮ番目（本実施形態の場合、具体的には、例えば、１０番目）となり発光輝度比が最大のサブフィールドＳＦ１０の点灯／非点灯を決定するに際しては、昇順における順番が（Ｎ−１）番目までのサブフィールドの発光輝度比の総和と、入力輝度と、の比較を行い、該入力輝度の方が大きければ点灯を決定する一方で、大きくはなければ非点灯を決定し、以下、順次、昇順における順番がｎ番目（ｎはＮ未満の正の整数）となるサブフィールドの点灯／非点灯を決定するに際しては、昇順における順番が（ｎ−１）番目までのサブフィールドの発光輝度比の総和と、既に点灯が決定しているサブフィールドの発光輝度比の総和を入力輝度から差し引いて得られる値と、の比較を行い、該差し引いて得られる値の方が大きければ点灯を決定する一方で、大きくはなければ非点灯を決定するので、１フィールドを形成するサブフィールド数（サブフィールド分割数）を入力信号のビット数よりも大きな値とする場合にも、各サブフィールドの点灯／非点灯を一義的に決定することができるとともに、発光輝度比の小さいサブフィールドから優先的に点灯するようにできる。
【００７１】
＜変形例＞
上記の第１の実施形態では、サブフィールドコーディング装置がテーブルＴ２（発光輝度比総和記憶テーブル）を格納したサブフィールド発光輝度和記憶器２２を備え、そのテーブルＴ２を参照して演算装置３０が各サブフィールドの点灯／非点灯を決定する例を説明したが、テーブルＴ２を格納したサブフィールド発光輝度和記憶器２２を備えずに、各発光輝度和ＷＳ１〜ＷＳ１０を各々演算により求めるようにしても良い。
【００７２】
この場合、図９のフローチャートに示すように、例えば、ステップＳ１１とステップＳ１２との間に、各発光輝度和ＷＳ２〜ＷＳ１０を演算して、これら演算結果を各発光輝度和ＷＳ２〜ＷＳ１０に代入する一方で、発光輝度和ＷＳ１には０を代入する処理（ステップＳ２１）を行うと良い。
【００７３】
この変形例の場合、上記の第１の実施形態の場合と同様の効果が得られる他、サブフィールド発光輝度和記憶器２２を備える必要がないという効果が得られる。
【００７４】
〔第２の実施形態〕
次に、本発明に係る第２の実施形態を説明する。
【００７５】
なお、以下の各実施形態では、上記の第１の実施形態で説明したのと同様の構成要素については同一の符号を付し、その説明を省略する。
【００７６】
第２の実施形態では、１フィールドを形成する各サブフィールドの点灯順序が、各サブフィールドを発光輝度比に関して昇順に並び替えた場合の順番と等しい点は上記の第１の実施形態と同様であるが、これらサブフィールドには発光輝度比が互いに等しい複数のサブフィールドが含まれている点で上記の第１の実施形態と異なる例について説明する。
【００７７】
本実施形態では、具体的には、例えば、入力信号のビット数及び１フィールドのサブフィールド分割数は、上記の第１の実施形態と同じ（入力信号：８ビット、サブフィールド分割数：１０）であるが、各サブフィールドＳＦ１〜ＳＦ１０の発光輝度比Ｗ１〜Ｗ１０は、例えば、図１０に示すように、サブフィールドＳＦ１の発光輝度比Ｗ１＝１、サブフィールドＳＦ２の発光輝度比Ｗ２＝２、サブフィールドＳＦ３の発光輝度比Ｗ３＝４、サブフィールドＳＦ４の発光輝度比Ｗ４＝８、サブフィールドＳＦ５の発光輝度比Ｗ５＝１６、サブフィールドＳＦ６の発光輝度比Ｗ６＝３２、サブフィールドＳＦ７の発光輝度比Ｗ７＝３２、サブフィールドＳＦ８の発光輝度比Ｗ８＝３２、サブフィールドＳＦ９の発光輝度比Ｗ９＝６４、サブフィールドＳＦ１０の発光輝度比Ｗ１０＝６４となっていて、発光輝度比が互いに等しいサブフィールド（サブフィールドＳＦ６、ＳＦ７及びＳＦ８は発光輝度比が３２で相互に等しく、サブフィールドＳＦ９及びＳＦ１０は発光輝度比が６４で相互に等しい。）が含まれている。
【００７８】
なお、各発光輝度比Ｗ１〜Ｗ１０が図１０に示す値の場合には、各発光輝度和ＷＳ２〜ＷＳ１０は、図１１に示すように、発光輝度和ＷＳ２＝１、発光輝度和ＷＳ３＝３、発光輝度和ＷＳ４＝７、発光輝度和ＷＳ５＝１５、発光輝度和ＷＳ６＝３１、発光輝度和ＷＳ７＝６３、発光輝度和ＷＳ８＝９５、発光輝度和ＷＳ９＝１２７、発光輝度和ＷＳ１０＝１９１となる。また、発光輝度和ＷＳ１は、上記の第１の実施形態の場合と同様、便宜的に０とする。
【００７９】
このように１フィールドを形成するサブフィールドに、発光輝度比が互いに等しい複数のサブフィールドが含まれている場合にも、上記の第１の実施形態で説明したのと同様の演算装置３０の処理ブロック３０１〜３１０によって上記のステップＳ１〜Ｓ１０と同様の処理を行うことにより、各サブフィールドＳＦ１〜ＳＦ１０の点灯／非点灯を一義的に決定することができる。なお、以下では、図１２を参照して、入力輝度が７９である場合の具体的な動作例を説明する。
【００８０】
図１２に示すように、入力装置１０から入力された映像信号（入力信号）は、サブフィールドＳＦ１０の点灯／非点灯を決定する処理を行う処理ブロック３０１に入力される。この処理ブロック３０１の比較器３１は、発光輝度和ＷＳ１０（＝１９１）と、値Ｉ（＝この段階では入力輝度に等しい７９）と、を比較して、値Ｉ＞発光輝度和ＷＳ１０が成立するか否かを判定する。この例の場合、値Ｉ（＝７９）＞発光輝度和ＷＳ１０（＝１９１）は成立しないので、比較器３１はサブフィールドＳＦ１０の非点灯を決定してＯＦＦ信号を出力する。従って、処理ブロック３０１のセレクタ３３は、当初の値のままである値Ｉ（＝７９）を出力する（ステップＳ１）。
【００８１】
よって、当初の値のままである値Ｉ（＝７９）が次段の処理ブロック３０２（サブフィールドＳＦ９の点灯／非点灯を決定する）に入力されるが、ここでもやはり値Ｉ（＝７９）＞発光輝度和ＷＳ９（＝１２７）は成立しないので、処理ブロック３０２の比較器３１も同様にサブフィールドＳＦ９の非点灯を決定してＯＦＦ信号を出力し、処理ブロック３０２のセレクタ３３は、当初の値のままである値Ｉ（＝７９）を出力する（ステップＳ２）。
【００８２】
同様に、当初の値のままである値Ｉ（＝７９）が次段の処理ブロック３０３（サブフィールドＳＦ８の点灯／非点灯を決定する）に入力されるが、ここでもやはり値Ｉ（＝７９）＞発光輝度和ＷＳ８（＝９５）は成立しないので、処理ブロック３０３の比較器３１もサブフィールドＳＦ８の非点灯を決定してＯＦＦ信号を出力し、処理ブロック３０３のセレクタ３３は、当初の値のままである値Ｉ（＝７９）を出力する（ステップＳ３）。
【００８３】
次に、当初の値のままである値Ｉ（＝７９）が次段の処理ブロック３０４（サブフィールドＳＦ７の点灯／非点灯を決定する）に入力されるが、ここでは値Ｉ（＝７９）＞発光輝度和ＷＳ７（＝６３）が成立するので、処理ブロック３０４の比較器３１はサブフィールドＳＦ７の点灯を決定してＯＮ信号を出力する。従って、処理ブロック３０４のセレクタ３３は、処理ブロック３０４の減算器３２が値Ｉ（＝７９）より発光輝度比Ｗ７（＝３２）を差し引くことにより更新した新たな値Ｉ（＝４７）を出力する（ステップＳ４）。
【００８４】
次に、値Ｉ（＝４７）が次段の処理ブロック３０５（サブフィールドＳＦ６の点灯／非点灯を決定する）に入力されるが、値Ｉ（＝４７）＞発光輝度和ＷＳ６（＝３１）が成立するので、処理ブロック３０５の比較器３１はサブフールドＳＦ６の点灯を決定してＯＮ信号を出力する。従って、処理ブロック３０５のセレクタ３３は、処理ブロック３０５の減算器３２が値Ｉ（＝４７）より発光輝度比Ｗ６（＝３２）を差し引くことにより更新した新たな値Ｉ（＝１５）を出力する（ステップＳ５）。
【００８５】
次に、値Ｉ（＝１５）が次段の処理ブロック３０６（サブフィールドＳＦ５の点灯／非点灯を決定する）に入力されるが、値Ｉ（＝１５）＞発光輝度和ＷＳ５（＝１５）が成立しないので、処理ブロック３０６の比較器３１はサブフィールドＳＦ５の非点灯を決定してＯＦＦ信号を出力する。従って、処理ブロック３０６のセレクタ３３は、入力された値Ｉ（＝１５）を出力する（ステップＳ６）。
【００８６】
次に、値Ｉ（＝１５）が次段の処理ブロック３０７（サブフィールドＳＦ４の点灯／非点灯を決定する）に入力されるが、値Ｉ（＝１５）＞発光輝度和ＷＳ４（＝７）が成立するので、処理ブロック３０７の比較器３１はサブフールドＳＦ４の点灯を決定してＯＮ信号を出力する。従って、処理ブロック３０７のセレクタ３３は、処理ブロック３０７の減算器３２が値Ｉ（＝１５）より発光輝度比Ｗ４（＝８）を差し引くことにより更新した新たな値Ｉ（＝７）を出力する（ステップＳ７）。
【００８７】
次に、値Ｉ（＝７）が次段の処理ブロック３０８（サブフィールドＳＦ３の点灯／非点灯を決定する）に入力されるが、値Ｉ（＝７）＞発光輝度和ＷＳ３（＝４）が成立するので、処理ブロック３０８の比較器３１はサブフィールドＳＦ３の点灯を決定してＯＮ信号を出力する。従って、処理ブロック３０８のセレクタ３３は、処理ブロック３０８の減算器３２が値Ｉ（＝７）より発光輝度比Ｗ３（＝４）を差し引くことにより更新した新たな値Ｉ（＝３）を出力する（ステップＳ８）。
【００８８】
次に、値Ｉ（＝３）が次段の処理ブロック３０９（サブフィールドＳＦ２の点灯／非点灯を決定する）に入力されるが、値Ｉ（＝３）＞発光輝度和ＷＳ２（＝１）が成立するので、処理ブロック３０９の比較器３１はサブフィールドＳＦ２の非点灯を決定してＯＮ信号を出力する。従って、処理ブロック３０９のセレクタ３３は、処理ブロック３０９の減算器３２が値Ｉ（＝３）より発光輝度比Ｗ２（＝２）を差し引くことにより更新した新たな値Ｉ（＝１）を出力する（ステップＳ９）。
【００８９】
次に、値Ｉ（＝１）が次段の処理ブロック３１０（サブフィールドＳＦ１の点灯／非点灯を決定する）に入力されるが、値Ｉ＝１であるので、処理ブロック３１０の比較器３１はサブフィールドＳＦ１の点灯を決定してＯＮ信号を出力する（ステップＳ１０）。
【００９０】
これらの処理の結果、図１３に一覧が示されるように、各サブフィールドＳＦ１〜ＳＦ１０の点灯／非点灯が決定される。
【００９１】
このように、第２の実施形態の場合にも、上記の第１の実施形態と同様に、各サブフィールドＳＦ１〜ＳＦ１０の点灯／非点灯を一義的に決定することができる。
【００９２】
なお、以上の第２の実施形態では、発光輝度比が同一のサブフィールドのうちでは、点灯順序が先のサブフィールドを優先的に点灯させるようにしたが、各サブフィールドの点灯／非点灯を一義的に決定できるのであれば、その他でも良く、例えば、点灯順序が後のサブフィールドを優先的に点灯させるようにしても良い。
【００９３】
〔第３の実施形態〕
次に、本発明に係る第３の実施形態を説明する。
【００９４】
第３の実施形態では、１フィールドを形成する各サブフィールドの点灯順序が、各サブフィールドを発光輝度比に関して昇順に並び替えた場合の順番と等しくない点で、上記の第１の実施形態と異なる例について説明する。
【００９５】
なお、本実施形態でも、入力信号のビット数及び１フィールドのサブフィールド分割数は、例えば、上記の第１の実施形態と同じ（入力信号：８ビット、サブフィールド分割数：１０）である例を説明する。
【００９６】
本実施形態の場合、各サブフィールドＳＦ１〜ＳＦ１０の発光輝度比Ｗ１〜Ｗ１０は、例えば、図１４に示すように、サブフィールドＳＦ１の発光輝度比Ｗ１＝１、サブフィールドＳＦ２の発光輝度比Ｗ２＝３２、サブフィールドＳＦ３の発光輝度比Ｗ３＝２、サブフィールドＳＦ４の発光輝度比Ｗ４＝３６、サブフィールドＳＦ５の発光輝度比Ｗ５＝４、サブフィールドＳＦ６の発光輝度比Ｗ６＝４４、サブフィールドＳＦ７の発光輝度比Ｗ７＝８、サブフィールドＳＦ８の発光輝度比Ｗ８＝５２、サブフィールドＳＦ９の発光輝度比Ｗ９＝１６、サブフィールドＳＦ１０の発光輝度比Ｗ１０＝６０となっていて、各サブフィールドの点灯順序が、各サブフィールドを発光輝度比に関して昇順に並び替えた場合の順番とは異なる。
【００９７】
従って、本実施形態の場合、各発光輝度和ＷＳ２〜ＷＳ１０は、図１５に示すような各演算式により求めることができる。なお、本実施形態の場合にも、発光輝度和ＷＳ１０が、昇順における順番が１番目から９番目までのサブフィールドの発光輝度比の総和であり、発光輝度和ＷＳ９が、昇順における順番が１番目から８番目までのサブフィールドの発光輝度比の総和であり、発光輝度和ＷＳ８が、昇順における順番が１番目から７番目までのサブフィールドの発光輝度比の総和であり、発光輝度和ＷＳ７が、昇順における順番が１番目から６番目までのサブフィールドの発光輝度比の総和であり、発光輝度和ＷＳ６が、昇順における順番が１番目から５番目までのサブフィールドの発光輝度比の総和であり、発光輝度和ＷＳ５が、昇順における順番が１番目から４番目までのサブフィールドの発光輝度比の総和であり、発光輝度和ＷＳ４が、昇順における順番が１番目から３番目までのサブフィールドの発光輝度比の総和であり、発光輝度和ＷＳ３が、昇順における順番が１番目から２番目までのサブフィールドの発光輝度比の総和であり、発光輝度和ＷＳ２が、昇順における順番が１番目のサブフィールドの発光輝度比であり、発光輝度和ＷＳ１を便宜的に０としている点は、何れも上記の第１の実施形態と同様である。
【００９８】
従って、各発光輝度比Ｗ１〜Ｗ１０が図１４に示す値の場合には、各発光輝度和ＷＳ１〜ＷＳ１０は、具体的には、図１６に示すような値となる。すなわち、発光輝度和ＷＳ１＝０、発光輝度和ＷＳ２＝１、発光輝度和ＷＳ３＝３、発光輝度和ＷＳ４＝７、発光輝度和ＷＳ５＝１５、発光輝度和ＷＳ６＝３１、発光輝度和ＷＳ７＝６３、発光輝度和ＷＳ８＝９９、発光輝度和ＷＳ９＝１４３、発光輝度和ＷＳ１０＝１９５となる。
【００９９】
また、このように、各サブフィールドの点灯順序が、各サブフィールドを発光輝度比に関して昇順に並び替えた場合の順番とは異なる場合にも、上記の第１の実施形態で説明したのと同様の演算装置３０の処理ブロック３０１〜３１０によって上記のステップＳ１〜Ｓ１０と同様の処理を行うことにより、各サブフィールドＳＦ１〜ＳＦ１０の点灯／非点灯を一義的に決定することができる。
【０１００】
ただし、本実施形態の場合は、昇順における順番が最後のサブフィールドの点灯／非点灯を決定する処理ブロックである処理ブロック３０１はサブフィールドＳＦ１０の点灯／非点灯を決定する処理を行い、昇順における順番が最後から２番目のサブフィールドの点灯／非点灯を決定する処理ブロック３０２はサブフィールドＳＦ８の点灯／非点灯を決定する処理を行い、昇順における順番が最後から３番目のサブフィールドの点灯／非点灯を決定する処理ブロック３０３はサブフィールドＳＦ６の点灯／非点灯を決定する処理を行い、昇順における順番が最後から４番目のサブフィールドの点灯／非点灯を決定する処理ブロック３０４はサブフィールドＳＦ４の点灯／非点灯を決定する処理を行い、昇順における順番が最後から５番目のサブフィールドの点灯／非点灯を決定する処理ブロック３０５はサブフィールドＳＦ２の点灯／非点灯を決定する処理を行い、昇順における順番が最後から６番目のサブフィールドの点灯／非点灯を決定する処理ブロック３０６はサブフィールドＳＦ９の点灯／非点灯を決定する処理を行い、昇順における順番が最後から７番目のサブフィールドの点灯／非点灯を決定する処理ブロック３０７はサブフィールドＳＦ７の点灯／非点灯を決定する処理を行い、昇順における順番が最後から８番目のサブフィールドの点灯／非点灯を決定する処理ブロック３０８はサブフィールドＳＦ５の点灯／非点灯を決定する処理を行い、昇順における順番が最後から９番目のサブフィールドの点灯／非点灯を決定する処理ブロック３０９はサブフィールドＳＦ３の点灯／非点灯を決定する処理を行い、昇順における順番が１番目のサブフィールドの点灯／非点灯を決定する処理ブロック３１０はサブフィールドＳＦ１の点灯／非点灯を決定する処理を行う。
【０１０１】
従って、図１７に示すように、処理ブロック３０１（の減算器３２）には、サブフィールドＳＦ１０の発光輝度比である発光輝度比Ｗ１０が入力され、同様に、処理ブロック３０２にはサブフィールドＳＦ８の発光輝度比である発光輝度比Ｗ８が、処理ブロック３０３にはサブフィールドＳＦ６の発光輝度比である発光輝度比Ｗ６が、処理ブロック３０４にはサブフィールドＳＦ４の発光輝度比である発光輝度比Ｗ４が、処理ブロック３０５にはサブフィールドＳＦ２の発光輝度比である発光輝度比Ｗ２が、処理ブロック３０６にはサブフィールドＳＦ９の発光輝度比である発光輝度比Ｗ９が、処理ブロック３０７にはサブフィールドＳＦ７の発光輝度比である発光輝度比Ｗ７が、処理ブロック３０８にはサブフィールドＳＦ５の発光輝度比である発光輝度比Ｗ５が、処理ブロック３０９にはサブフィールドＳＦ３の発光輝度比である発光輝度比Ｗ３が、それぞれ入力されるようになっている。
【０１０２】
次に、図１８を参照して、入力輝度が７９である場合の、本実施形態における具体的な動作例を説明する。
【０１０３】
図１８に示すように、入力装置１０から入力された映像信号（入力信号）は、処理ブロック３０１（サブフィールドＳＦ１０の点灯／非点灯を決定する）に入力される。この処理ブロック３０１の比較器３１は、発光輝度和ＷＳ１０（＝１９５）と、値Ｉ（＝この段階では入力輝度に等しい７９）と、を比較して、値Ｉ＞発光輝度和ＷＳ１０が成立するか否かを判定する。この例の場合、値Ｉ（＝７９）＞発光輝度和ＷＳ１０（＝１９５）は成立しないので、比較器３１はサブフィールドＳＦ１０の非点灯を決定してＯＦＦ信号を出力する。従って、処理ブロック３０１のセレクタ３３は、当初の値のままである値Ｉ（＝７９）を出力する（ステップＳ１）。
【０１０４】
よって、当初の値のままである値Ｉ（＝７９）が次段の処理ブロック３０２（サブフィールドＳＦ８の点灯／非点灯を決定する）に入力されるが、ここでもやはり値Ｉ（＝７９）＞発光輝度和ＷＳ９（＝１４３）は成立しないので、処理ブロック３０２の比較器３１も同様にサブフィールドＳＦ８の非点灯を決定してＯＦＦ信号を出力し、処理ブロック３０２のセレクタ３３は、当初の値のままである値Ｉ（＝７９）を出力する（ステップＳ２）。
【０１０５】
同様に、当初の値のままである値Ｉ（＝７９）が次段の処理ブロック３０３（サブフィールドＳＦ６の点灯／非点灯を決定する）に入力されるが、ここでもやはり値Ｉ（＝７９）＞発光輝度和ＷＳ８（＝９９）は成立しないので、処理ブロック３０３の比較器３１もサブフィールドＳＦ６の非点灯を決定してＯＦＦ信号を出力し、処理ブロック３０３のセレクタ３３は、当初の値のままである値Ｉ（＝７９）を出力する（ステップＳ３）。
【０１０６】
次に、当初の値のままである値Ｉ（＝７９）が次段の処理ブロック３０４（サブフィールドＳＦ４の点灯／非点灯を決定する）に入力されるが、ここでは値Ｉ（＝７９）＞発光輝度和ＷＳ７（＝６３）が成立するので、処理ブロック３０４の比較器３１はサブフィールドＳＦ４の点灯を決定してＯＮ信号を出力する。従って、処理ブロック３０４のセレクタ３３は、処理ブロック３０４の減算器３２が値Ｉ（＝７９）より発光輝度比Ｗ４（＝３６）を差し引くことにより更新した新たな値Ｉ（＝４３）を出力する（ステップＳ４）。
【０１０７】
次に、値Ｉ（＝４３）が次段の処理ブロック３０５（サブフィールドＳＦ２の点灯／非点灯を決定する）に入力されるが、値Ｉ（＝４３）＞発光輝度和ＷＳ６（＝３１）が成立するので、処理ブロック３０５の比較器３１はサブフールドＳＦ２の点灯を決定してＯＮ信号を出力する。従って、処理ブロック３０５のセレクタ３３は、処理ブロック３０５の減算器３２が値Ｉ（＝４３）より発光輝度比Ｗ２（＝３２）を差し引くことにより更新した新たな値Ｉ（＝１１）を出力する（ステップＳ５）。
【０１０８】
次に、値Ｉ（＝１１）が次段の処理ブロック３０６（サブフィールドＳＦ９の点灯／非点灯を決定する）に入力されるが、値Ｉ（＝１１）＞発光輝度和ＷＳ５（＝１５）が成立しないので、処理ブロック３０６の比較器３１はサブフィールドＳＦ９の非点灯を決定してＯＦＦ信号を出力する。従って、処理ブロック３０６のセレクタ３３は、入力された値Ｉ（＝１１）を出力する（ステップＳ６）。
【０１０９】
次に、値Ｉ（＝１１）が次段の処理ブロック３０７（サブフィールドＳＦ７の点灯／非点灯を決定する）に入力されるが、値Ｉ（＝１１）＞発光輝度和ＷＳ４（＝７）が成立するので、処理ブロック３０７の比較器３１はサブフールドＳＦ７の点灯を決定してＯＮ信号を出力する。従って、処理ブロック３０７のセレクタ３３は、処理ブロック３０７の減算器３２が値Ｉ（＝１１）より発光輝度比Ｗ７（＝８）を差し引くことにより更新した新たな値Ｉ（＝３）を出力する（ステップＳ７）。
【０１１０】
次に、値Ｉ（＝３）が次段の処理ブロック３０８（サブフィールドＳＦ５の点灯／非点灯を決定する）に入力されるが、値Ｉ（＝３）＞発光輝度和ＷＳ３（＝３）が成立しないので、処理ブロック３０８の比較器３１はサブフィールドＳＦ５の非点灯を決定してＯＦＦ信号を出力する。従って、処理ブロック３０８のセレクタ３３は、入力された値Ｉ（＝３）を出力する（ステップＳ８）。
【０１１１】
次に、値Ｉ（＝３）が次段の処理ブロック３０９（サブフィールドＳＦ３の点灯／非点灯を決定する）に入力されるが、値Ｉ（＝３）＞発光輝度和ＷＳ２（＝１）が成立するので、処理ブロック３０９の比較器３１はサブフィールドＳＦ３の非点灯を決定してＯＮ信号を出力する。従って、処理ブロック３０９のセレクタ３３は、処理ブロック３０９の減算器３２が値Ｉ（＝３）より発光輝度比Ｗ３（＝２）を差し引くことにより更新した新たな値Ｉ（＝１）を出力する（ステップＳ９）。
【０１１２】
次に、値Ｉ（＝１）が次段の処理ブロック３１０（サブフィールドＳＦ１の点灯／非点灯を決定する）に入力されるが、値Ｉ＝１であるので、処理ブロック３１０の比較器３１はサブフィールドＳＦ１の点灯を決定してＯＮ信号を出力する（ステップＳ１０）。
【０１１３】
これらの処理の結果、図１９に一覧が示されるように、各サブフィールドＳＦ１〜ＳＦ１０の点灯／非点灯が決定される。
【０１１４】
このように、第３の実施形態の場合にも、上記の第１の実施形態と同様に、各サブフィールドＳＦ１〜ＳＦ１０の点灯／非点灯を一義的に決定することができる。
【０１１５】
なお、第３の実施形態の場合に、テーブルＴ２を格納したサブフィールド発光輝度和記憶器２２を備えずに、各発光輝度和ＷＳ１〜ＷＳ１０を各々演算により求めるには、図９のステップＳ２１にて、各サブフィールドＳＦ１〜ＳＦ１０の発光輝度比を昇順に並び替えて１→２→４→８→１６→３２→３６→４４→５２→６０の順とし、発光輝度和ＷＳ１０については、昇順における順番が１番目から９番目までの発光輝度比の総和を演算することにより求め、以下、同様に、発光輝度和ＷＳ９については昇順における順番が１番目から８番目までの発光輝度比の、発光輝度和ＷＳ８については昇順における順番が１番目から７番目までの発光輝度比の、発光輝度和ＷＳ７については昇順における順番が１番目から６番目までの発光輝度比の、発光輝度和ＷＳ６については昇順における順番が１番目から５番目までの発光輝度比の、発光輝度和ＷＳ５については昇順における順番が１番目から４番目までの発光輝度比の、発光輝度和ＷＳ４については昇順における順番が１番目から３番目までの発光輝度比の、発光輝度和ＷＳ３については昇順における順番が１番目から２番目までの発光輝度比の、各総和を演算することにより求める。また、発光輝度和ＷＳ２は昇順における順番が１番目の発光輝度比とし、発光輝度和ＷＳ１は便宜的に０とする。
【０１１６】
また、上記の各実施形態においては、「各サブフィールドの点灯／非点灯の決定を、発光輝度比の大きいサブフィールドから順に行うとともに、先ず、各サブフィールドを発光輝度比に関して昇順に並び替えた場合の順番が最後（Ｎ番目）となり、従って、発光輝度比が最大であるサブフィールドの点灯／非点灯を決定するに際しては、前記昇順における順番が１番目から最後から２番目まで（Ｎ−１番目まで）のサブフィールドの発光輝度比の総和と、入力輝度と、の比較を行い、該入力輝度の方が大きければ点灯を決定する一方で、大きくはなければ非点灯を決定し、以下、順次、昇順における順番がｎ番目（ｎはＮ未満の正の整数）となるサブフィールドの点灯／非点灯を決定するに際しては、昇順における順番が（ｎ−１）番目までのサブフィールドの発光輝度比の総和と、既に点灯が決定しているサブフィールドの発光輝度比の総和を入力輝度から差し引いて得られる値と、の比較を行い、該差し引いて得られる値の方が大きければ点灯を決定する一方で、大きくはなければ非点灯を決定する」との説明をしたが、このことは、「各サブフィールドの点灯／非点灯の決定を、発光輝度比の大きいサブフィールドから順に行うにあたり、先ず、各サブフィールドを発光輝度比に関して降順に並び替えた場合の順番が１番目となり、従って、発光輝度比が最大であるサブフィールドの点灯／非点灯を決定するに際しては、降順における順番が２番目から最後まで（２番目からＮ番目まで）のサブフィールドの発光輝度比の総和と、入力輝度と、の比較を行い、該入力輝度の方が大きければ点灯を決定する一方で、大きくはなければ非点灯を決定し、以下、順次、降順における順番がｎ番目（ｎは、Ｎ≧ｎ≧２を満たす整数）となるサブフィールドの点灯／非点灯を決定するに際しては、降順における順番が（ｎ＋１）番目からＮ番目までのサブフィールドの発光輝度比の総和と、既に点灯が決定しているサブフィールドの発光輝度比の総和を入力輝度から差し引いて得られる値と、の比較を行い、該差し引いて得られる値の方が大きければ点灯を決定する一方で、大きくはなければ非点灯を決定する」というように換言することができる。
【０１１７】
また、上記の各実施形態では、本発明に係るサブフィールドコーディング装置を備え、本発明に係るサブフィールドコーディング方法を実行する表示装置として、プラズマ表示装置を例示したが、本発明はこれに限らず、サブフィールド法による表示を行うその他の表示装置にも同様に適用することができる。
【図面の簡単な説明】
【０１１８】
【図１】本発明の実施形態に係るプラズマ表示装置を示すブロック図である。
【図２】第１の実施形態の場合の各サブフィールドの発光輝度比の例を示す図である。
【図３】図２の発光輝度比の場合の発光輝度和を示す図である。
【図４】第１の実施形態に係るプラズマ表示装置が備えるサブフィールドコーディング装置の回路構成例を示すブロック図である。
【図５】図４の回路において比較・減算を行う一の処理ブロックを示す図である。
【図６】第１の実施形態に係るプラズマ表示装置が行うサブフィールドコーディングの処理の流れの例を説明するための図である。
【図７】図６の処理の結果として決定されるサブフィールドの点灯／非点灯の組み合わせを示す図である。
【図８】第１の実施形態に係るプラズマ表示装置が行うサブフィールドコーディングの処理の流れを示すフローチャートである。
【図９】第１の実施形態の変形例の場合のフローチャートである。
【図１０】第２の実施形態の場合の各サブフィールドの発光輝度比の例を示す図である。
【図１１】図１０の発光輝度比の場合の発光輝度和を示す図である。
【図１２】第２の実施形態に係るプラズマ表示装置が行うサブフィールドコーディングの処理の流れの例を説明するための図である。
【図１３】図１２の処理の結果として決定されるサブフィールドの点灯／非点灯の組み合わせを示す図である。
【図１４】第３の実施形態の場合の各サブフィールドの発光輝度比の例を示す図である。
【図１５】第３の実施形態の場合の各発光輝度和の演算式を示す図である。
【図１６】図１４の発光輝度比の場合の発光輝度和を示す図である。
【図１７】第３の実施形態に係るプラズマ表示装置が備えるサブフィールドコーディング装置を構成する各回路への発光輝度比及び発光輝度和の入力態様を示す図である。
【図１８】第３の実施形態に係るプラズマ表示装置が行うサブフィールドコーディングの処理の流れの例を説明するための図である。
【図１９】図１８の処理の結果として決定されるサブフィールドの点灯／非点灯の組み合わせを示す図である。
【図２０】８ビットの映像信号入力に対し、１フィールドを８つのサブフィールドで形成し各サブフィールドの発光輝度比を１：２：４：８：１６：３２：６４：１２８とする場合の階調に応じた各サブフィールドの点灯／非点灯の状態を示す図である。
【符号の説明】
【０１１９】
１００  プラズマ表示装置
３０    演算装置（点灯／非点灯決定手段、サブフィールドコーディング装置を構成する）
２０    記憶装置（サブフィールドコーディング装置を構成する）
４０    出力装置（プラズマディスプレイパネル）
Ｔ２    テーブル（発光輝度比総和記憶テーブル）
２２    サブフィールド発光輝度和記憶器（発光輝度比総和記憶テーブルを格納する）
【図１】
2005031467.tif 000003
【図２】
2005031467.tif 000004
【図３】
2005031467.tif 000005
【図４】
2005031467.tif 000006
【図５】
2005031467.tif 000007
【図６】
2005031467.tif 000008
【図７】
2005031467.tif 000009
【図８】
2005031467.tif 000010
【図９】
2005031467.tif 000011
【図１０】
2005031467.tif 000012
【図１１】
2005031467.tif 000013
【図１２】
2005031467.tif 000014
【図１３】
2005031467.tif 000015
【図１４】
2005031467.tif 000016
【図１５】
2005031467.tif 000017
【図１６】
2005031467.tif 000018
【図１７】
2005031467.tif 000019
【図１８】
2005031467.tif 000020
【図１９】
2005031467.tif 000021
【図２０】
2005031467.tif 000022